(57)【要約】【課題】補助接点ユニットなどの増設オプションに対応した電磁開閉装置を対象に、その本体ケース内に組み込んだ接触子ホルダに若干変更を加えるだけで、塵埃などがケース内に侵入するのを防止し、併せてオプションユニットを装着する際の誤操作を防ぐ。【解決手段】本体ケース１１に主回路接点機構１２および操作用電磁石を組み込んだ構成で、そのケース側面に装着した補助接点ユニット２０（増設オプション）を主回路接点機構に連動して動作させるようにした電磁開閉装置で、操作用電磁石に連繋して上下にストローク動作させる接触子ホルダ１７の下部側面に形成した窪み状の連結穴１７ａを本体ケースの側壁に開口した窓穴１１ａに臨ませ、該窓穴を通して補助接点ユニット２０から突き出す連結アーム２３を接触子ホルダの連結穴に嵌入して連繋させるようにしたものにおいて、接触子ホルダ１７の側面に連結穴１７ａから下方に延在する脚片１７ｂを設け、該脚片で本体ケースの窓穴１１ａと接触子ホルダとの間に隙間を残さず塞ぐようにする。【選択図】        図１
2005276460.tif 000002
【特許請求の範囲】
【請求項１】
主回路接点機構および操作用電磁石を本体ケースに組み込んだ構成で、そのケース側面に装着した増設オプションユニットを前記主回路接点機構に連動して動作させるようにした電磁開閉装置であり、電磁石に連繋して上下にストローク動作する前記接点機構の接触子ホルダの下部側面に形成した窪み状の連結穴を本体ケースの側壁に開口した窓穴に臨ませ、該窓穴を通じて増設オプションユニットに設けた連結アームを接触子ホルダの連結穴に嵌合して相互連係させたものにおいて、
前記接触子ホルダの側面に、その連結穴から下方に延在して本体ケースの窓穴を塞ぐ脚片を設けたことを特徴とする電磁開閉装置。
【請求項２】
請求項１記載の電磁開閉装置において、本体ケースの側壁内面に、接触子ホルダに形成した脚片がスライド可能に嵌入する凹溝を形成したことを特徴とする電磁開閉装置。
【発明の詳細な説明】
【技術分野】
【０００１】
本発明は、電磁接触器，電磁継電器などを対象に、ユーザーの要望に合わせて補助接点ユニットなどのオプションの増設に対応できるようにした電磁開閉装置に関する。
【背景技術】
【０００２】
周知のように、頭記の電磁開閉装置には各種の増設オプションが用意されており、その一つとして電磁開閉器の外側面に装着（サイドオン）して電磁開閉器の主回路接点機構と連動動作させるようにした補助接点ユニットが知られている（例えば、特許文献１参照）。
次に、前記補助接点ユニット（オプション）の増設に対応した電磁開閉器の従来構造を図３〜図６に示す。図において、１０は電磁開閉器、２０が電磁開閉器１０のケース側面に装着して使用する増設オプションとしての補助接点ユニットである。ここで、電磁開閉器１０は、上，下フレームを組み合わせた本体ケース１１に主回路接点機構１２とその操作用電磁石とを組み込んだ構造で、１３は固定鉄心、１４は可動鉄心、１５は操作コイル、１６はバックスプリング、１７は可動鉄心１４の上部側に連結した接触子ホルダ、１８は接触子ホルダ１７に保持した可動接点、１９は固定接点である。
【０００３】
上記構成の電磁開閉器の動作は周知の通りであり、投入指令により操作コイル１５を励磁すると、可動鉄心１４が固定鉄心１３に吸着され、これに従動して接触子ホルダ１７が下降し、可動接点１８が固定接点１９に接触して主回路接点機構１２がＯＮ動作する。この状態から操作コイル１５の励磁を解くと、可動鉄心１４がバックスプリング１６のバネ力で釈放位置に復帰し、これに従動して接触子ホルダ１７が上昇移動して主回路接点機構１２がＯＦＦ動作する。
また、電磁開閉器１０の側面に装着した増設オプションの保持接点ユニット２０を電磁開閉器１０の主回路接点機構１２に連繋させるために、図５で示すように接触子ホルダ１７の左右側面には窪み状の連結穴１７ａを形成し、さらにこの連結穴１７ａに位置を合わせて本体ケース１１の側壁には縦長な角状の窓穴１１ａを開口し、電磁開閉器１０のＯＮ，ＯＦＦに伴う接触子ホルダ１７の上下ストローク動作で前記連結穴１７ａが本体ケース１１の窓穴１１ａの中を上下に移動するようにしている。
【０００４】
一方、補助接点ユニット２０の構造は、特許文献１にも詳記されているように電磁開閉器１０の主回路接点機構１２と同様な接点機構を内蔵しており、図６で示すようにフレーム２１には左右一対のフック２２を設け、このフック２２を電磁開閉器１０の本体ケース１１の外面に形成した凹溝１１ｂに係合して固定する。また、補助接点ユニット２０には接点機構（接触子ホルダ）からフレームの内側に突出した連結アーム２３を備えており、補助接点ユニット２０を電磁開閉器１０の本体ケース１１に装着した状態で、本体ケース１１の窓穴１１ａを通して前記連結アーム２３を接触子ホルダ１７の連結穴１７ａに嵌入して連繋させる。これにより、電磁開閉器１０のＯＮ，ＯＦＦに連動して補助接点ユニット２０の接点機構がＯＮ，ＯＦＦ動作するようになる。
【特許文献１】実開平３−６９８４５号公報
【発明の開示】
【発明が解決しようとする課題】
【０００５】
ところで、前記した従来構成の電磁開閉装置には次記のような問題点が残る。すなわち、図４，図６で示すように電磁開閉器１０の本体ケース１１には、側方から補助接点ユニット２０の連結アーム２３を差し込んで接触子ホルダ１７の連結穴１７ａに嵌入するための窓穴１１ａが開口しており、この窓穴１１ａは電磁開閉器１０のＯＮ，ＯＦＦ動作に伴う接触子ホルダ１７の上下方向の移動ストロークに対応する開口高さｈに設定されている。また、接触子ホルダ１７に形成した連結穴１７ａの位置は、ホルダに保持する可動接点１８，および接触子ホルダ１７の下方に位置する操作コイル１５との相関的な制約もあって、図５のように接触子ホルダ１７の下端部コーナー部分に形成されている。
したがって、電磁開閉器１０のＯＦＦ（電磁石の釈放状態）では、図４で示すように本体ケース１１の側面に開口した窓穴１１ａとケース内に組み込まれている接触子ホルダ１７の下端との間にケース内外を連通する間隙ｇが生じることになる。
【０００６】
このために、補助接点ユニット２０を増設せずに、電磁開閉器１０を単独で使用している状態では、前記隙間ｇを通じて外部から塵埃などの異物が電磁開閉器１０のケース内に侵入し、内部の部品（接点，操作コイル，鉄心の磁極面など）に付着して動作不良を引き起こすおそれがある。また、電磁開閉器１０に補助接点ユニット２０を装着する場合に、電磁開閉器１０は電磁石が釈放して接触子ホルダ１７が図４の上昇位置に停止しているのに対して、補助接点ユニット２０の連結アーム２３は自重により下降して接触子ホルダ１７の連結穴１７ａとの間に段差が生じているために、このままでは誤って連結アーム２３が前記した隙間gに差し込まれてしまうおそれがある。しかもこの装着の誤りに気がつかずに電磁開閉器を動作させると、接触子ホルダ１７のストローク動作が連結アーム２３に阻害されて正常にＯＮ動作せず、故障の原因となる。
【０００７】
本発明は上記の点に鑑みなされたものであり、その目的は、接触子ホルダの形状に若干の変更を加えるだけで前記トラブルを未然に回避できるように改良した増設オプションに対応した電磁開閉装置を提供することにある。
【課題を解決するための手段】
【０００８】
上記目的を達成するために、本発明によれば、主回路接点機構および操作用電磁石を本体ケースに組み込んだ構成で、そのケース側面に装着した増設オプションユニットを前記主回路接点機構に連動して動作させるようにした電磁開閉装置で、操作用電磁石に連繋して上下にストローク動作する前記接点機構の接触子ホルダの下部側面に形成した窪み状の連結穴を本体ケースの側壁に開口した窓穴に臨ませ、該窓穴を通じて増設オプションユニットに設けた連結アームを接触子ホルダの連結穴に嵌合して連係させたものにおいて、
前記接触子ホルダの側面に前記連結穴から下方に延在する脚片を設け、該脚片により本体ケースに開口した窓穴を接触子ホルダとの間に隙間を残さずに塞ぐようにする（請求項１）。
また、前記構成において、本体ケースの側壁内面には、接触子ホルダに形成した前記脚片を嵌入してスライド可能に案内する凹溝を形成する（請求項２）。
【発明の効果】
【０００９】
上記構成によれば、電磁開閉装置を単独使用している状態でも、ＯＮ，ＯＦＦ動作状態に関係なくその本体ケースの側面に開口した窓穴の全域が、ケース内に組み込んだ接触子ホルダおよびホルダに延在形成した前記脚片によって完全に塞がれるので、窓穴を通して外部から塵埃などの異物がケース内に侵入するのを確実に防止し、異物の侵入に起因する開閉動作不良を回避して製品の信頼性向上化が図れる。また、電磁開閉装置に補助接点ユニットなどのオプションユニットを増設する場合でも、従来の装置で問題となっていたオプションユニットの連結アームが接触子ホルダの連結穴から外れた位置に誤挿入される不具合を防ぐことができる。
【発明を実施するための最良の形態】
【００１０】
以下、本発明の実施の形態を図１（ａ），（ｂ）および図２に示す実施例に基づいて説明する。すなわち、図示実施例の電磁開閉器１０は基本的に図３以下に示した従来構造と同一であるが、本体ケース１１に組み込んだ主回路接点機構１２の接触子ホルダ１７について、その左右側面には図１（ｂ）で示すように増設オプションユニット（補助接点ユニット２０）の連結アーム２３（図６参照）を嵌入する連結穴１７ａの位置から下方に延在する耳状の脚片１７ｂが一体に形成されている。また、この脚片１７ｂに対向して本体ケース１１の側壁内面側には、脚片１７ｂを逃がすように嵌入して上下方向へスライド可能に案内する凹溝１１ｃが形成されている。
ここで、前記脚片１７ｂは、図１（ａ）に示した電磁開閉器１０の組立状態で接触子ホルダ１７が上下方向にストローク動作した際に、脚片が操作コイル１５のボビンに当たって干渉することがないようにし、かつその長さは接触子ホルダ１７が上昇した位置（図１（ａ）の状態）で本体ケース１１に開口した窓穴１１ａを塞ぐように設定されている。
【００１１】
上記の構成によれば、図１（ａ）および図２で示すように接触子ホルダ１７が上昇位置に停止している状態（電磁石釈放状態）でも、本体ケース１１の側面に開口した窓穴１１ａの全域が接触子ホルダ１７の側面に形成した連結穴１７ａの部分および下方に延在する脚片１７ｂによって内側から完全に塞がれ、またこの位置で脚片１７ｂの先端は、本体ケース１１の内面側に形成した凹溝１１ｃに嵌入して上下方向へスライド可能に保持されている。したがって、前記窓穴１１ａと接触子ホルダ１７との間には図４で述べたような隙間ｇの残ることかなく、これにより外部から塵埃などの異物がケース内に侵入するのを防ぐことができる。
また、増設オプションである補助接点ユニット２０を装着する場合でも、補助接点ユニット２０の連結アーム２３（図６参照）の誤挿入を防いで接触子ホルダ１７の連結穴１７ａへ確実に嵌合連結することができる。
【図面の簡単な説明】
【００１２】
【図１】本発明の実施例を示す電磁開閉器の構成図で、（ａ）は電磁開閉器全体の縦断正面図、（ｂ）は（ａ）における接触子ホルダの外観斜視図
【図２】図１（ａ）の側面図
【図３】電磁開閉器の従来構造を示す縦断側面図
【図４】増設オプションの補助接点ユニットとともに表した図３の縦断正面図
【図５】図３の本体ケースに組み込んだ接触子ホルダの外観斜視図
【図６】図４に示した電磁開閉器，および電磁開閉器に装着される補助接点ユニットの装着前の状態を表す外観斜視図
【符号の説明】
【００１３】
１０    電磁開閉器
１１    本体ケース
１１ａ  窓穴
１１ｃ  凹溝
１２    主回路接点機構
１３    固定鉄心
１４    可動鉄心
１５    操作コイル
１６    バックスプリング
１７    接触子ホルダ
１７ａ  連結穴
１７ｂ  脚片
１８    可動接点
１９    固定接点
２０    補助接点ユニット（増設オプション）
２３    連結アーム
【図１】
2005276460.tif 000003
【図２】
2005276460.tif 000004
【図３】
2005276460.tif 000005
【図４】
2005276460.tif 000006
【図５】
2005276460.tif 000007
【図６】
2005276460.tif 000008